(57)【要約】【課題】菓子などを収容した包装容器において、意図することなく切れ目に沿って切り裂かれて開封されることを防止する一方、開封を必要とするときには、簡単に切れ目に沿って切り裂いて開封する。【解決手段】一側面板、上面板、他側面板４、底面板５の順に連設されるとともに、底面板５の背面側端縁に連設された背面板に、上面板の背面側端縁に連設された背面蓋板が貼着され、また、上面板の正面側端縁に連設された正面蓋板８に、その幅方向の二等分線に関して略対称に開封用の切れ目ｊ，ｊが形成され、さらに、底面板５の正面側端縁に連設された正面板に、正面蓋板８における切れ目ｊ，ｊによって区画された下隅部が貼着されている。そして、底面板５と正面板との折り目ｈが、その略中間部において、底面板５と正面板とが交差する辺から二股状に分岐して底面板５および正面板の端縁近傍を迂回する分岐折り目ｈ２を有している。【選択図】　図１
2004075121.tif 000002
【特許請求の範囲】
【請求項１】
左右側端縁にそれぞれフラップが折り目を介して連設された一側面板の下端縁に、上面板、他側面板、底面板および糊代が順に折り目を介して連設されるとともに、上面板の左右側端縁にそれぞれ正面蓋板および背面蓋板が折り目を介して連設される一方、これらの正面蓋板および背面蓋板に対応して底面板の左右側端縁にそれぞれ正面板および背面板が折り目を介して連設され、また、他側面板の左右側端縁にそれぞれフラップが折り目を介して連設され、さらに、正面蓋板に、その幅方向の二等分線に関して略対称に開封用の切れ目が形成された包装容器において、底面板と正面板との折り目が、略中間部において、底面板と正面板とが交差する辺から二股状に分岐して底面板および正面板の端縁近傍を迂回する分岐折り目を有することを特徴とする包装容器。
【発明の詳細な説明】
【０００１】
【発明の属する技術分野】
本発明は、菓子などの包装容器に関するものである。
【０００２】
【従来の技術】
従来、図３に示すように、菓子などの包装容器１００が知られている。
【０００３】
この包装容器１００は、図４に展開図を示すように、右側面板１０１の下端縁に、上面板１０２、左側面板１０３、底面板１０４および糊代１０５が順に折り目ａ，ｂ，ｃ，ｄを介して連設され、また、左右の側面板１０１，１０３の左右端縁にそれぞれフラップ１０６が折り目ｅを介して連設され、さらに、上面板１０２の左右端縁にそれぞれ正面蓋板１０７および背面蓋板１０８が折り目ｆ，ｇを介して連設されるとともに、底面板１０４の左右端縁にそれぞれ正面板１０９および背面板１１０が折り目ｈ，ｉを介して連設されて構成されている。そして、正面蓋板１０７には、図３（ａ）において、その左右各端縁の上端近傍をそれぞれ始点とし、その下端縁の中間部近傍を終点とする開封用の切れ目ｊが正面蓋板１０７の左右幅方向の二等分線に関して略左右対称に形成されている。また、正面板１０９には、前述した切れ目ｊに沿って切り離された正面蓋板１０７の中間部下端縁を差し込むことのできる切り込みｋ（図４参照）が形成されている。
【０００４】
このような包装容器１００を組み立てるには、図４に示す展開図にしたがってコートボールを打ち抜いた後、糊代１０５を底面板１０４に対して折り目ｄに沿って谷折りするとともに、糊代１０５の裏面に接着剤を塗布し、次いで、上面板１０２を右側面板１０１とともに左側面板１０３に対して折り目ｂに沿って谷折りし、右側面板１０１を糊代１０５に貼着する。次いで、底面板１０４に対して左側面板１０３を折り目ｃに沿って、上面板１０２に対して右側面板１０１を折り目ａに沿ってそれぞれ谷折りするように起こした後、右側面板１０１および左側面板１０３に対して背面側の各フラップ１０６をそれぞれ折り目ｅに沿って谷折りする。さらに、底面板１０４に対して背面板１１０を折り目ｉに沿って谷折りした後、背面板１１０の裏面に接着剤を塗布し、上面板１０２に対して背面蓋板１０８を折り目ｇに沿って山折りし、背面蓋板１０８を背面板１１０に貼着する。
【０００５】
そして、正面側開口を通して菓子などを収容した後、右側面板１０１および左側面板１０３に対して正面側のフラップ１０６をそれぞれ折り目ｅに沿って谷折りするとともに、底面板１０４に対して正面板１０９を折り目ｈに沿って谷折りし、次いで、正面蓋板１０７における切れ目ｊ，ｊによってそれぞれ区画された下隅部の裏面に接着剤を塗布した後、上面板１０２に対して正面蓋板１０７を折り目ｆに沿って山折りし、正面蓋板１０７を正面板１０９に貼着すれば、菓子などを収容した包装容器１を形成することができる。その後、包装容器１は、コンビニエンスストアなどに出荷される。
【０００６】
一方、消費者は、正面蓋板１０７における一対の切れ目ｊ，ｊ間の下端縁部を指先で摘んで引き上げることにより、切れ目ｊに沿って切り裂くことができる。この後、正面板１０９および左右のフラップ１０６を押し広げて菓子などを引き出せばよい。また、残った商品を保管するには、再び菓子などを収容した後、切れ目ｊ，ｊに沿って切り裂かれた正面蓋板１０７の下端縁を正面板１０９の切り込みｋに差し込めばよい。
【０００７】
【発明が解決しようとする課題】
このような包装容器１００においては、図３に示すように、正面蓋板１０７の下端縁が底面板１０４の表面の延長面上に位置するように設定されている。したがって、菓子などを取り出すために切れ目ｊ，ｊに沿って切り裂こうとした場合、正面蓋板１０７の下端縁に指先が掛からず、開封しにくいという欠点があった。
【０００８】
なお、図５に示すように、正面蓋板１０７の下端縁のうち、一対の切れ目ｊ，ｊの終点間部分をわずかに外方に突出させて、指先に引っ掛かり易くした包装容器１００も提案されているが、正面蓋板１０７の下端縁の一部を外方に突出させた分、台紙を余分に必要とする他、輸送時や陳列時において、正面蓋板１０７の下端縁に何らかの部材が引っ掛かり易く、その際、切れ目ｊ，ｊに沿って一部切り裂かれてしまうことがある。このように、一部とはいえ切れ目ｊ，ｊに沿って切り裂かれると、商品価値が滅失されるという欠点がある。
【０００９】
本発明は、このような問題に鑑みてなされたもので、意図しない開封を確実に防止する一方、容易に開封することのできる包装容器を提供するものである。
【００１０】
【課題を解決するための手段】
本発明は、左右側端縁にそれぞれフラップが折り目を介して連設された一側面板の下端縁に、上面板、他側面板、底面板および糊代が順に折り目を介して連設されるとともに、上面板の左右側端縁にそれぞれ正面蓋板および背面蓋板が折り目を介して連設される一方、これらの正面蓋板および背面蓋板に対応して底面板の左右側端縁にそれぞれ正面板および背面板が折り目を介して連設され、また、他側面板の左右側端縁にそれぞれフラップが折り目を介して連設され、さらに、正面蓋板に、その幅方向の二等分線に関して略対称に開封用の切れ目が形成された包装容器において、底面板と正面板との折り目が、略中間部において、底面板と正面板とが交差する辺から二股状に分岐して底面板および正面板の端縁近傍を迂回する分岐折り目を有することを特徴とするものである。
【００１１】
本発明によれば、展開図にしたがって台紙を打ち抜いた後、折り目に沿って折り込むとともに、所定部分を貼着して組み立てられる。そして、組み立てられた包装容器に菓子などを収納した後、出荷される。
【００１２】
ここで、包装容器における底面板および正面板の端縁部の略中間部において、分岐折り目によって区画された部分が底面板および正面板に対してそれぞれ傾斜する傾斜面として底面板と正面板とが交差する辺の近傍にわたって形成される。また、正面蓋板の下端縁は、底面板の表面の延長面上に位置している。
【００１３】
この結果、正面蓋板における開封用の切れ目間の裏面側に、分岐折り目からなる傾斜面によって小空間が形成されるため、包装容器を開封する場合、正面蓋板の裏面側に形成された小空間に指先を挿入し、正面蓋板における一対の切れ目間の端縁部を摘んで切れ目に沿って容易に切り裂くことができる。
【００１４】
一方、輸送時や陳列時において、正面蓋板の下端縁に何らかの部材が引っ掛かることはないことから、正面蓋板が、意図することなく切れ目に沿って切り裂かれることを確実に防止することができる。
【００１５】
【発明の実施の形態】
以下、本発明の実施の形態を図面に基づいて詳細に説明する。
【００１６】
図１および図２には、本発明の包装容器１の一実施形態が示されている。
【００１７】
この包装容器１は、菓子などを収容して包装するものであり、コートボールを図２に示す展開図にしたがって打ち抜いた後、折り目に沿って折り込むとともに、所定部分を貼着して組み立てられる。そして、包装容器１に菓子などを収容した後、出荷される。
【００１８】
この包装容器１は、右側面板２の下端縁に、上面板３、左側面板４、底面板５および糊代６が順に折り目ａ，ｂ，ｃ，ｄを介して連設され、また、左右の側面板２，４の各左右端縁にそれぞれフラップ７が折り目ｅを介して連設され、さらに、上面板３の左右端縁にそれぞれ正面蓋板８および背面蓋板９が折り目ｆ，ｇを介して連設されるとともに、底面板５の左右端縁にそれぞれ正面板１０および背面板１１が折り目ｈ，ｉを介して連設されて構成されている。そして、正面蓋板８には、図１（ａ）に示すように、その左右各端縁の上端近傍をそれぞれ始点とし、その下端縁の中間部近傍を終点とする開封用の切れ目ｊ，ｊが正面蓋板８の左右幅方向の二等分線に関して略左右対称に形成されている。また、正面板１０には、切れ目ｊ，ｊに沿って切り離された正面蓋板８の中間部下端縁を差し込むことのできる切り込みｋが形成されている。
【００１９】
ここで、底面板５と正面板１０との折り目ｈは、底面板５と正面板１０とが交差する辺に沿って左右各端縁から中間部近傍までにわたる折り目ｈ１，ｈ１と、これらの折り目ｈ１の各終端から二股状に分岐し、底面板５と正面板１０とが交差する辺の近傍を迂回する分岐折り目ｈ２と、から形成され、分岐折り目ｈ２は、正面蓋板８の下端縁における開封用の切れ目ｊ，ｊ間に対応して形成されている。
【００２０】
なお、正面蓋板８の高さ（折り目ｆと正面蓋板８の外側端縁間の間隔）は、左右の側面板２，４の高さに設定されている。
【００２１】
このような包装容器１を組み立てるには、図２に示す展開図にしたがってコートボールを打ち抜いた後、糊代６を底面板５に対して折り目ｄに沿って谷折りするとともに、糊代６の裏面に接着剤を塗布し、次いで、上面板３を右側面板２とともに左側面板４に対して折り目ｂに沿って谷折りし、右側面板２を糊代６に貼着する。次いで、底面板５に対して左側面板４を折り目ｃに沿って、上面板３に対して右側面板２を折り目ａに沿ってそれぞれ谷折りするように起こした後、右側面板２および左側面板４に対して背面側の各フラップ７をそれぞれ折り目ｅに沿って谷折りする。さらに、底面板５に対して背面板１１を折り目ｉに沿って谷折りした後、背面板１１の裏面に接着剤を塗布し、上面板３に対して背面蓋板９を折り目ｇに沿って山折りし、背面蓋板９を背面板１１に貼着する。
【００２２】
そして、正面側開口を通して菓子などを収容した後、右側面板２および左側面板４に対して正面側のフラップ７をそれぞれ折り目ｅに沿って谷折りし、次いで、底面板５に対して正面板１０を折り目ｈに沿って谷折りし、正面蓋板８における切れ目ｊ，ｊによって区画された裏面側の下隅部に接着剤を塗布した後、上面板３に対して正面蓋板８を折り目ｆに沿って山折りし、正面蓋板８を正面板１０に貼着すれば、菓子などを収容した包装容器１を形成することができる。その後、包装容器１は、コンビニエンスストアなどに出荷される。
【００２３】
ここで、正面板１０を底面板５との折り目ｈに沿って折り込むと、その略中間部は、分岐折り目ｈ２に沿って折り込まれる。すなわち、図１に詳細に示すように、底面板５および正面板１０の略中間部において、分岐折り目ｈ２によって区画された部分が底面板５および正面板１０に対してそれぞれ傾斜する傾斜面として折り目ｈ１に連続し、かつ、底面板５と正面板１０とが交差する辺の近傍にわたって形成される。また、正面蓋板８の下端縁は、底面板５の表面の延長面上に位置している。
【００２４】
菓子などを購入した消費者が包装容器１を開封する場合は、正面蓋板８における一対の切れ目ｊ，ｊ間の下端縁部分を指先で摘んで引き上げればよい。この際、底面板５と正面板１０との交差する辺の略中間部には、分岐折り目ｈ２によって傾斜面が形成されるため、正面蓋板８における一対の切れ目ｊ，ｊ間の裏面側に小空間が形成されている。したがって、消費者は、正面蓋板８における一対の切れ目ｊ，ｊ間の裏面側に形成された小空間に指先を挿入することができ、正面蓋板８における一対の切れ目ｊ，ｊ間の下端縁を摘んで、切れ目ｊ，ｊに沿って容易に切り裂くことができる。この後、正面板１０および左右のフラップ７を押し広げて菓子などを引き出せばよい。また、残った菓子などを保管するには、再び菓子などを収容した後、切れ目ｊ，ｊに沿って切り裂かれた正面蓋板８の下端縁を正面板１０の切り込みｋに差し込めばよい。
【００２５】
一方、前述したように、正面蓋板８の下端縁は、底面板５の表面の延長面上に位置しているため、輸送時や陳列時において、正面蓋板８の下端縁に何らかの部材が引っ掛かることはない。したがって、正面蓋板８が、意図することなく切れ目ｊに沿って切り裂かれることを確実に防止することができる。
【００２６】
【発明の効果】
本発明によれば、菓子などの包装容器を開封する場合、容易に開封することができるとともに、意図しない開封を確実に防止することができる。
【図面の簡単な説明】
【図１】本発明の包装容器の一実施形態を一部省略して示す斜視図およびその縦端面図である。
【図２】図１の包装容器の展開図である。
【図３】従来の包装容器を一部省略して示す斜視図およびその縦端面図である。
【図４】図３の包装容器の展開図である。
【図５】従来の他の包装容器を一部省略して示す斜視図およびその縦端面図である。
【符号の説明】
１　包装容器
２，４　側面板
３　上面板
５　底面板
６　糊代
７　フラップ
８　正面蓋板
９　背面蓋板
１０　正面板
１１　背面板
ａ，ｂ，ｃ，ｄ，ｅ，ｆ，ｇ，ｈ，ｉ　折り目
ｈ２　分岐折り目
ｊ　切れ目
ｋ　切り込み
【図１】
2004075121.tif 000003
【図２】
2004075121.tif 000004
【図３】
2004075121.tif 000005
【図４】
2004075121.tif 000006
【図５】
2004075121.tif 000007